(57)【特許請求の範囲】
【請求項１】
近接センサに基づいてウェアラブル拡張現実（ＡＲ）ディスプレイに適応的に給電するように構成されたシステムであって、
前記ウェアラブルＡＲディスプレイの左アーム、右アーム、ブリッジ、および／またはリムのうちの１つまたは複数に装着された複数のセンサであって、検出信号を生成するように構成され、前記検出信号は、前記着用者の胴体に対する前記着用者の頭の位置を示す、センサと、
前記センサに結合されたプロセッサであって、前記センサからの前記検出信号に基づいて前記ウェアラブルＡＲディスプレイが起動されるべきであるかどうかを判定し、前記ウェアラブルＡＲディスプレイが起動されるべきであるときは前記ウェアラブルＡＲディスプレイを起動するように構成される、プロセッサとを含む、システム。
【請求項２】
前記ウェアラブルＡＲディスプレイの前記状態は、前記ウェアラブルＡＲディスプレイのアームが開いた位置または閉じた位置のうちの１つにあることを含む請求項１に記載のシステム。
【請求項３】
前記センサは、誘導センサ、磁気センサ、ソナーセンサ、光学式センサ、渦電流センサ、機械式スイッチ、または熱赤外センサのうちの１つまたは複数を含む請求項１に記載のシステム。
【請求項４】
前記センサのうちの少なくとも１つは、静電容量の差を感知することに基づいて、前記着用者の頭の存在、前記着用者の胴体に対する前記着用者の頭の前記位置、および前記ウェアラブルＡＲディスプレイの前記状態のうちの１つまたは複数を検出するように構成された静電容量センサである請求項１に記載のシステム。
【請求項５】
前記複数のセンサは、前記ウェアラブルＡＲディスプレイの少なくとも１つの動作パラメータを制御するためのユーザ入力を受信するように構成される請求項１に記載のシステム。
【請求項６】
前記ウェアラブルＡＲディスプレイの前記少なくとも１つの動作パラメータは、オーディオコントロールまたはディスプレイコントロールのうちの１つを含む請求項５に記載のシステム。
【請求項７】
少なくとも１つの蝶番によって前記ウェアラブルＡＲディスプレイのリムに装着された可動部分であって、跳ね上げ式の可動部分が、少なくとも１つの追加的なセンサを含む、可動部分をさらに含む請求項１に記載のシステム。
【請求項８】
前記可動部分が、ディスプレイ、または前記ウェアラブルＡＲディスプレイのシースルーコンポーネントを遮るカバーのうちの１つである請求項７に記載のシステム。
【請求項９】
前記ウェアラブルＡＲディスプレイの前記状態は、前記可動部分が上げられた位置および下げられた位置のうちの１つにあることを含む請求項７に記載のシステム。
【請求項１０】
前記可動部分の位置は、前記少なくとも１つの蝶番および前記少なくとも１つの追加的なセンサのうちの１つによる検出に基づいて判定される請求項９に記載のシステム。
【請求項１１】
近接センサに基づいてウェアラブル拡張現実（ＡＲ）ディスプレイに適応的に給電するように構成されたシステムであって、
前記ウェアラブルＡＲディスプレイの左アーム、右アーム、ブリッジ、および／またはリムのうちの１つまたは複数に装着された複数のセンサであって、センサのうちの少なくとも１つは、基準ノードに結合される静電容量センサであり、前記静電容量センサは、基準ノードと外部ノードとの間の静電容量の値の差を測定するように構成され、前記測定は、グラウンドに容量的に結合される、着用者の頭の近くの小さな平行なプレートを有する回路の特性の測定、１つまたは１つ以上のセンサプレート間の電荷の転送の測定、又は間に未知の誘導体を有する２枚のセンサプレートの静電容量の変化の測定のいずれか１つによる、複数のセンサと、
前記静電容量センサに結合された電圧測定デバイスであって、前記値の差を入力として受信するように構成され、前記ウェアラブルＡＲディスプレイに電力をいつ供給すべきかを判定するように構成されるデータ出力を提供するようにさらに構成される、電圧測定デバイスとを含む、システム。
【請求項１２】
前記基準ノードは基準静電容量である請求項１１に記載のシステム。
【請求項１３】
前記外部ノードは人である請求項１１に記載のシステム。
【請求項１４】
前記電圧測定デバイスに結合されたプロセッサであって、前記電圧測定デバイスからの前記データ出力を受信し、前記データ出力をルックアップテーブル内の複数の記憶された値と比較し、前記ウェアラブルＡＲディスプレイに電力をいつ供給すべきかを判定するように構成される、プロセッサをさらに含む請求項１１に記載のシステム。
【請求項１５】
前記プロセッサは、前記データ出力の前記複数の記憶された値との前記比較に応じて前記ウェアラブルＡＲディスプレイを低電力モードに移行させるようにさらに構成される請求項１４に記載のシステム。
【請求項１６】
前記静電容量センサは、近くのグラウンドおよび漂遊電磁界に対する感度を小さくするためのアクティブシールドを含む請求項１１に記載のシステム。
【請求項１７】
前記静電容量センサは、水および／または汗がセンサの測定を妨げることを防止するために疎水性材料でコーティングされる請求項１１に記載のシステム。
【請求項１８】
近接センサによってウェアラブル拡張現実（ＡＲ）ディスプレイの動作状況を制御するための方法であって、
前記ウェアラブルＡＲディスプレイの左アーム、右アーム、ブリッジ、および／またはリムのうちの１つまたは複数に装着された複数のセンサのうちの少なくとも１つから感知信号を受信することであって、前記複数のセンサのうち少なくとも１つは、受信された感知信号の値を測定するために、基準静電容量と前記ウェアラブルＡＲディスプレイの前記着用者との間の静電容量の値の差を測定するように構成された静電容量センサであって、前記静電容量センサは、前記基準静電容量を通じて発振器によって電力を供給される、受信することと、
前記受信された感知信号に基づいて、着用者の頭の位置、ユーザ入力、および／または前記ウェアラブルＡＲディスプレイの状態のうちの１つまたは複数を判定することであって、前記受信された感知信号の値は、前記着用者の頭の位置、前記ユーザ入力、および／または前記ウェアラブルＡＲディスプレイの状態を判定するためにルックアップテーブルの期待される値と比較される、判定すること、と、
前記判定に応じて前記ウェアラブルＡＲディスプレイの動作状況に関連するアクションを実行することとを含む、方法。
【請求項１９】
前記ウェアラブルＡＲディスプレイの前記動作状況に関連する前記アクションは、前記ＡＲディスプレイを起動すること、前記ＡＲディスプレイを停止すること、前記ＡＲディスプレイを低電力モードに移行させること、オーディオコントロールを調整すること、および／またはディスプレイコントロールを調整することのうちの１つまたは複数を含む請求項１８に記載の方法。
【請求項２０】
前記複数のセンサは、静電容量センサ、誘導センサ、磁気センサ、ソナーセンサ、光学式センサ、渦電流センサ、または熱赤外センサのうちの１つまたは複数を含む請求項１８に記載の方法。
【請求項２１】
前記着用者の胴体に対する前記着用者の頭の連続的な位置を検出することに応じて、検出された左右の動きに基づく否定的なユーザの応答、および検出された上下の動きに基づく肯定的なユーザの応答のうちの１つまたは複数を推測することをさらに含む請求項１８に記載の方法。
【請求項２２】
センサによってウェアラブル拡張現実（ＡＲ）ディスプレイの動作状況を制御するための命令を記憶するコンピュータ可読ストレージ媒体であって、前記命令は、
前記ウェアラブルＡＲディスプレイの左アーム、右アーム、ブリッジ、および／またはリムのうちの１つまたは複数に装着された複数のセンサであって、前記複数のセンサのうち少なくとも１つは静電容量センサである複数のセンサにおいて、受信された感知信号に基づいて、着用者の頭の位置、ユーザ入力、および／または前記ウェアラブルＡＲディスプレイの状態のうちの１つまたは複数を感知することと、前記ウェアラブルＡＲディスプレイの着用中に前記着用者に、タップすることまたはタッチすることのいずれか１つを介して、前記ウェアラブルＡＲディスプレイの動作パラメータのうち少なくとも１つを制御することを可能にする、１つまたは１つ以上のユーザインタフェース要素を提供することと、
プロセッサにおいて、前記ウェアラブルＡＲディスプレイの前記状態に基づいて、前記ウェアラブルＡＲディスプレイを起動すべきか、または停止すべきかを判定することであって、前記状態は前記受信された感知信号の値を、ルックアップテーブル内の期待される値と比較することによって判定することであって、前記受信された感知信号は、基準電圧と前記着用者との間の静電容量の値の差を測定することによって測定されること、
前記プロセッサにおいて、感知された前記着用者の頭の位置に基づいてユーザの応答を推測することと、
前記プロセッサにおいて、推測されたユーザの応答または感知されたユーザ入力のうちの１つに応じて前記ウェアラブルＡＲディスプレイの動作状況に関連するアクションを決定することとを含む、コンピュータ可読ストレージ媒体。
【請求項２３】
前記ウェアラブルＡＲディスプレイの前記状態は、前記ウェアラブルＡＲディスプレイのアームが開いた位置もしくは閉じた位置のうちの１つにあること、および／または前記ウェアラブルＡＲディスプレイの可動部分が上げられた位置もしくは下げられた位置のうちの１つにあることのうちの１つまたは複数を含む請求項２２に記載のコンピュータ可読ストレージ媒体。
【発明の詳細な説明】
【背景技術】
【０００１】
本明細書において別途指示されない限り、本節で説明される題材は本願の特許請求の範囲に対する従来技術ではなく、本節に含まれることによって従来技術であると認められる訳ではない。
【０００２】
拡張現実（ＡＲ）は、要素が、仮想的な、典型的にはコンピュータで生成された画像によって拡張され、それによって混合された現実感を作り出す物理的な（現実の）世界環境の見方を指す。拡張は、通常、リアルタイムであり、スポーツイベント、軍事演習、ゲームなどの環境的な要素に合わせられ得る。ＡＲ技術は、物体認識および画像生成を加えることによって、人の周囲の現実世界についての情報がインタラクティブになり、デジタル形式で使用できるようになることを可能にする。環境および物体についての人工的な情報が、現実世界の眺めのレイヤとは別個の情報レイヤとして記憶され、取り出されることができる。
【０００３】
本開示は、ＡＲシステムにいくつかの制約が存在することを認める。ユーザに対して拡張現実の画像（静止画または映像）を表示する際、一部のＡＲシステムはＡＲメガネを利用する。ユーザに現実感のある体験を提供するが、メガネ形式のディスプレイデバイスは、電力管理、および／またはＡＲシステムとインタラクションするためのユーザインターフェース要素をユーザに提供する際の制限などのいくつかの課題を示す。サイズに制限があるため、電力が利用できること、および利用できる電力の効率的な使用が、設計上の問題である可能性がある。さらに、ボリュームコントロール、ディスプレイコントロールなどのインタラクションツールを提供することは、メガネ形式のディスプレイのサイズおよび形状が原因で課題である可能性がある。
【発明の概要】
【０００４】
本開示は、近接センサに基づいてウェアラブル拡張現実（ＡＲ）ディスプレイに適応的に給電するように構成されたシステムを記載する。一部の例示的なシステムは、ウェアラブルＡＲディスプレイに装着されたセンサ、および／またはセンサに結合されたプロセッサを含み得る。センサは、検出信号を生成するように構成され、検出信号は、着用者の頭の存在、着用者の頭の位置、および／またはウェアラブルＡＲディスプレイの状態のうちの１つまたは複数を示す。プロセッサは、センサからの検出信号に基づいてウェアラブルＡＲディスプレイが起動されるべきであるかどうかを判定し、ウェアラブルＡＲディスプレイが起動されるべきであるときはウェアラブルＡＲディスプレイを起動するように構成される。
【０００５】
本開示は、近接センサに基づいてウェアラブルＡＲディスプレイに適応的に給電するように構成された別のシステムも記載する。他のシステムの一部の例は基準ノード（ｒｅｆｅｒｅｎｃｅ  ｎｏｄｅ）に結合された容量センサ、および／またはセンサに結合された電圧測定デバイス４４６を含み得る。センサは、基準ノードと外部ノードとの間の静電容量の値の差を測定するように構成される。電圧測定デバイスは、値の差を入力として受信するように構成され、ウェアラブルＡＲディスプレイに電力をいつ供給すべきかを判定するように構成されるデータ出力を提供するようにさらに構成される。
【０００６】
本開示は、近接センサによってウェアラブルＡＲの動作状況（ｏｐｅｒａｔｉｏｎａｌ  ａｓｐｅｃｔ）を制御するための方法をさらに記載する。方法は、ウェアラブルＡＲディスプレイの左アーム（ａｒｍ）、右アーム、ブリッジ、および／またはリムのうちの１つまたは複数に装着された複数のセンサのうちの少なくとも１つから感知信号を受信することを含む。方法は、受信された感知信号に基づいて、着用者の頭の存在、着用者の頭の位置、ユーザ入力、および／またはウェアラブルＡＲディスプレイの状態のうちの１つまたは複数を判定することも含む。方法は、判定に応じてウェアラブルＡＲディスプレイの動作状況に関連するアクションを実行することをさらに含む。
【０００７】
本開示は、近接センサによってウェアラブルＡＲディスプレイの動作状況を制御するための命令を記憶するコンピュータ可読ストレージ媒体をさらに記載する。コンピュータ可読ストレージ媒体に記憶された命令は、ウェアラブルＡＲディスプレイに装着された複数のセンサにおいて着用者の頭の存在、着用者の頭の位置、ユーザ入力、および／またはウェアラブルＡＲディスプレイの状態のうちの１つまたは複数を感知することを含み得る。感知することは、受信された感知信号に基づいて行われ得る。命令は、感知された着用者の頭の存在および／またはウェアラブルＡＲディスプレイの状態のうちの１つまたは複数に基づいて、ウェアラブルＡＲディスプレイを起動すべきか、または停止すべきかを判定することも含み得る。命令のさらに別の組は、感知された着用者の頭の位置に基づいてユーザの応答を推測することを含み得る。命令は、推測されたユーザの応答または感知されたユーザ入力のうちの１つに応じてウェアラブルＡＲディスプレイの動作状況に関連するアクションを決定することをさらに含み得る。起動するべきか、または停止するべきかを判定する命令、ユーザの応答を推測する命令、およびアクションを決定する命令は、プロセッサにおいて実行され得る。
【０００８】
以上の概要は、例示的であるに過ぎず、限定することは全く意図されていない。上述の例示的な態様、実施形態、および特徴に加えて、さらなる態様、実施形態、および特徴が、図面および以下の詳細な説明を参照することによって明らかになるであろう。
【０００９】
本開示の上述のおよびその他の特徴は、以下の説明および添付の特許請求の範囲を添付の図面と併せて理解することによってより完全に明らかになるであろう。これらの図面は本開示によるほんのいくつかの実施形態を示すに過ぎず、したがって、本開示の範囲を限定するとみなされるべきでないことを理解したうえで、本開示が、添付の図面を使用してより具体的かつ詳細に説明される。
【図面の簡単な説明】
【００１０】
【図１】本明細書において説明される少なくとも一部の実施形態に従ってすべてが構成された、拡張現実（ＡＲ）メガネが拡張されたシーンをユーザに対して表示するために使用され得る例示的なＡＲシステムを示す図である。
【図２】本明細書において説明される少なくとも一部の実施形態に従ってすべてが構成された、メガネのアームおよび／またはブリッジに近接センサを有する例示的なＡＲメガネを示す図である。
【図３】本明細書において説明される少なくとも一部の実施形態に従ってすべてが構成された、メガネの跳ね上げ式機構に近接センサを有するさらなる例示的なＡＲメガネを示す図である。
【図４】本明細書において説明される少なくとも一部の実施形態に従ってすべてが構成された、電力管理を目的として、ＡＲメガネが人によって着用されるときを検出するように構成されたシステムを示す図である。
【図５】本明細書において説明される少なくとも一部の実施形態に従ってすべてが構成された、電力管理を目的として、ＡＲメガネが使用中であるときを検出するために跳ね上げ式機構を利用する例示的なＡＲメガネの側面図である。
【図６】本明細書において説明される少なくとも一部の実施形態に従ってすべてが構成された、電界撮像デバイス（ｅｌｅｃｔｒｉｃ  ｆｉｅｌｄ  ｉｍａｇｉｎｇ  ｄｅｖｉｃｅ）によるＡＲメガネの使用の検出を示す図である。
【図７】本明細書において説明される少なくとも一部の実施形態に従ってすべてが構成された、ＡＲメガネの近接感知メカニズムを実装するために使用され得る汎用コンピューティングデバイスを示す図である。
【図８】本明細書において説明される少なくとも一部の実施形態に従ってすべてが構成された、ＡＲメガネの近接感知メカニズムを実装するために使用され得る専用プロセッサを示す図である。
【図９】本明細書において説明される少なくとも一部の実施形態に従ってすべてが構成された、図７のコンピュータ７００または図８の専用プロセッサ８１０などのコンピューティングデバイスによって実行され得る例示的な方法を示す流れ図である。
【図１０】本明細書において説明される少なくとも一部の実施形態に従ってすべてが構成された、例示的なコンピュータプログラム製品のブロック図である。
【発明を実施するための形態】
【００１１】
以下の詳細な説明において、本明細書の一部をなす添付の図面に対する参照がなされる。図面において、概して、同様の符号は、文脈がそうでないことを示さない限り、同様のコンポーネントを特定する。詳細な説明、図面、および特許請求の範囲に記載の例示的な実施形態は、限定することを意図されていない。本明細書で示される主題の精神または範囲を逸脱することなしに、その他の実施形態が利用される可能性があり、その他の変更がなされる可能性がある。本明細書において全体的に説明され、図面に図示される本開示の態様は、多種多様な異なる構成で配置され、置き換えられ、組み合わされ、分けられ、設計される可能性があり、それらの構成のすべては本明細書においてはっきりと考慮されていることが容易に理解されるであろう。
【００１２】
概して、本開示は、とりわけ、電力管理およびユーザインターフェース要素のために拡張現実システムにおいて近接感知メカニズムを使用することに関連する方法、装置、システム、デバイスおよび／またはコンピュータプログラム製品を対象とする。
【００１３】
簡潔に言えば、近接感知メカニズムが、拡張現実（ＡＲ）システムで使用され得る。ＡＲメガネ上の、メガネの右アームおよび／または左アーム、ブリッジ、または跳ね上げ式機構などの位置に効果的に配置されたセンサが、電力管理のためにＡＲメガネの使用を検出するために、および／またはボリュームコントロール、ディスプレイコントロール、ユーザ入力などのようなユーザインターフェース要素を提供するために使用され得る。一部の例によれば、センサは、機械式センサ、容量センサ、光学式センサ、誘導センサ（ｉｎｄｕｃｔｉｖｅ  ｓｅｎｓｏｒ）、磁気センサ、および／または同様のコンポーネントである可能性がある。
【００１４】
図１は、拡張現実（ＡＲ）メガネが拡張されたシーンをユーザに対して表示するために使用され得る例示的なＡＲシステム１００を示す。ＡＲは、現実世界の表示を拡張するために、ライブビデオストリームにおけるコンピュータによって生成された画像の応用を探求する。本開示にしたがって構成された例示的なＡＲシステムは、いくつかのセンサおよびアクチュエータを含む制御された環境内にある可能性があり、現実のおよびコンピュータによって生成された画像を処理するようになされた１つまたは複数のコンピューティングデバイスを含む可能性があり、ヘッドマウントディスプレイ（または「ＡＲメガネ」）、仮想網膜ディスプレイ（ｖｉｒｔｕａｌ  ｒｅｔｉｎａｌ  ｄｉｓｐｌａｙ）、モニタまたは同様の通常のディスプレイ、および同様のデバイスなどの視覚化システムを含む可能性がある。
【００１５】
例示的なＡＲシステム１００は、現実のシーン（物体）１０２のライブ画像をキャプチャするための撮像センサ１０４−１と、物体の位置および／または運動を追跡するための追跡センサ１０４−２とを含む。撮像センサ１０４−１は、デジタルカメラ、ウェブカメラ、または何らかのその他の画像キャプチャデバイスである可能性がある。追跡センサ１０４−２は、ネットワークの周波数、帯域幅、および空間ダイバーシチによって追跡性能を高めるためにパッシブセンシングネットワーク内に配置されたいくつかの受信デバイスを含み得る。受信デバイス（たとえば、１つまたは複数のＲＦ受信機）は、通信塔（たとえば、セルラー電話の通信塔）または通信基地局などの近くの信号ソースからの通信信号（たとえば、ＲＦ信号などの電磁波）を利用するようになされ得る。追跡センサ１０４−２は、さまざまな位置に配置される可能性があり、集中型または分散型のコンピューティングシステムに通信可能に結合されて、協調するネットワークを形成する可能性がある。
【００１６】
（１つまたは複数の）キャプチャされた画像は、画像処理サブシステム１０６に与えられることができ、画像処理サブシステム１０６は、画像のデジタル画像へのデジタル化、デジタル画像の受信、および／またはデジタル画像の処理のうちの１つまたは複数を実行するようになされ得る。デジタル画像の処理は、画像内の特徴点の位置の判定、アフィン射影の計算、エッジの追跡、フィルタリング、および／または同様のオペレーションのうちの１つまたは複数を含み得る。画像処理サブシステム１０６は、上述のオペレーションの結果のうちの１つまたは複数などの映像情報をリアリティエンジン１１０に与えるように構成され得る。追跡センサ１０４−２は、現実のシーン１０２内の関心のある物体に関連する位置および／または運動情報をリアリティエンジン１１０に与えるように構成され得る。リアリティエンジン１１０は、グラフィックスプロセスを実行して、追跡センサ１０４−２からの位置および／または運動情報を組み込むキャプチャされた画像に基づくシーンをレンダリングするようになされ得る。
【００１７】
画像ジェネレータ１０８は、撮像センサ１０４−１からの（１つまたは複数の）リファレンス画像と、（１つまたは複数の）仮想的な物体に関連する画像データとを受信するようになされることができ、キャプチャされた現実のシーンの画像に（１つまたは複数の）仮想的な物体に関連する画像データを重ねて、拡張されたシーン１１４をもたらすようになされ得る。ＡＲメガネ１１２は、ＡＲシステム１００において利用され得る１つの例示的な視覚化メカニズムである。ＡＲメガネ１１２は、単一の（モノ）ディスプレイまたはステレオディスプレイとして実装され得る。ＡＲメガネは、本質的に、可搬型のコンピュータディスプレイとして機能する。ＡＲメガネは、シースルーであるか、または非シースルーである（すなわち、現実世界のデータを提供するビデオカメラである）可能性がある。ＡＲメガネは、仮想現実ゴーグルおよび同様の実装形態も含み得る。本明細書において使用される用語、ＡＲメガネは、仮想現実ディスプレイおよびヘルメット型ディスプレイを含む任意の頭部に着用可能なコンピュータディスプレイを指す。用語、ウェアラブルＡＲディスプレイおよびＡＲメガネは、本開示の中で交換可能なように使用される。ユーザに現実感のある体験を提供するが、ＡＲメガネ１１２は、電力管理、およびユーザインターフェース要素をユーザに提供することにおいて課題を示す可能性がある。本明細書に記載の実施形態の少なくとも一部によるシステムにおいて、ＡＲメガネ１１２は、以下でより詳細に説明されるように、使用を検出し、および／またはユーザインターフェース要素を提供するように構成された効果的に配置されたセンサを取り付けられることができる。
【００１８】
画像処理サブシステム１０６、リアリティエンジン１１０、画像ジェネレータ１０８、および／またはＡＲメガネ１１２などのＡＲシステム１００のコンポーネントの少なくとも一部の処理は、１つもしくは複数のコンピューティングデバイス上の別個のアプリケーション、１つもしくは複数の統合されたアプリケーション、１つもしくは複数の集中型のサービス、または１つもしくは複数の分散型のサービスとして実行され得る。各コンピューティングデバイスは、スタンドアロンコンピュータ、ネットワーク化されたコンピュータシステム、汎用処理ユニット（たとえば、マイクロプロセッサ、マイクロコントローラ、デジタル信号プロセッサもしくはＤＳＰなど）、または専用処理ユニットであってよい汎用コンピューティングデバイスまたは専用コンピューティングデバイスのどちらかである可能性がある。さまざまなコンピューティングデバイスで実行される場合、ＡＲシステム１００のさまざまなコンポーネントは、１つまたは複数のネットワークを介して通信するようになされ得る。
【００１９】
図２は、少なくとも一部の実施形態にしたがって構成された、メガネのアームおよび／またはブリッジに近接センサを有する例示的なＡＲメガネを示す。近接センサは、図２００に示されるように、ＡＲメガネ２２０のアームに沿って、ブリッジの上に、またはリムに沿ってなど、さまざまな効果的な位置に配置され得る。センサは、容量センサ、誘導センサ、磁気センサ、ソナーセンサ、光学式センサ（フォトセルまたはレーザ）、渦電流センサ、熱赤外センサ（ｔｈｅｒｍａｌ  ｉｎｆｒａｒｅｄ  ｓｅｎｓｏｒ）、機械式スイッチなどを含み得る。
【００２０】
センサ２２２、２２４、２２６、および２２８のうちの１つまたは複数が、着用者（ユーザ２１８）の頭、鼻などの検出によってメガネが使用中であるか否かを判定することによってＡＲメガネ２２０に関する電力管理を支援するために使用され得る。センサ２２２、２２４、２２６、および２２８は、ＡＲのオペレーションのさまざまな機能を制御し、ユーザのフィードバックを受信するためのユーザインターフェース要素をＡＲメガネ２２０を着用しているユーザ２１８に提供することにも利用され得る。
【００２１】
ユーザインターフェースアプリケーションにおいて、センサは、オーディオボリュームコントロール、ＡＲメガネ２２０の輝度（ｂｒｉｇｈｔｎｅｓｓ）表示、個々のディスプレイまたはＡＲメガネ２２０全体をオンまたはオフにすることなどのＡＲのオペレーションのコントロールに関して、タップまたはタッチによって、着用者の入力を受信するように構成され得る。一部の例において、センサは、ＡＲメガネ２２０の外側のアームに配置され（たとえば、２２４）、ユーザがそれらのユーザのＡＲメガネ２２０を着用している間にそれらのＡＲメガネ２２０の側面をタップまたはタッチすることによって動作パラメータを制御することができるように構成され得る。反対に、上述のセンサは、ＡＲメガネ２２０のアーム内側に配置され（たとえば、２２２）、ユーザ２１８がＡＲメガネ２２０を着用しているかどうか（メガネが使用中であるはずであるか、または使用中でない状態であるはずであるか）を検出するように構成され得る。これは、センサが、着用者の肌のごく近くにあることを可能にする。
【００２２】
別の例において、センサ２２２、２２４、２２６、および／または２２８は、着用者の胴体に対するその着用者の頭の向きを感知するように構成され得る。たとえば、ＡＲメガネ２２０の（１つまたは複数の）選択位置の１つまたは複数のセンサが、そのＡＲメガネ２２０の基準静電容量（ｒｅｆｅｒｅｎｃｅ  ｃａｐａｃｉｔａｎｃｅ）（さらなる詳細については図４参照）と着用者の肩の静電容量との間の静電容量の差を測定するように構成され得る。ＡＲメガネ２２０を着用しているユーザ２１８がそのユーザ２１８の頭を左または右に動かすとき、静電容量の差は、肩が（１つまたは複数の）選択位置の（１つまたは複数の）センサからより離れるので変化する可能性がある。静電容量の差の判定に基づいて、ＡＲシステムは、ユーザ２１８がそのユーザ２１８の胴体に対してどの方向を見ているかを推測することができる可能性がある。一部の実施形態によれば、推測された情報が、ユーザ入力として使用され得る。たとえば、左から右に向きを変え、その後、右から左に向きを変えることは、「いいえ」を示すことができ、または上から下に向きを変え、その後、下から上に向きを変えることは、「はい」を示すことができる、など。
【００２３】
センサ２２２、２２４、２２６、および２２８は、信頼できる検出のためにやはり利用され得る。たとえば、耳の後ろのセンサおよびブリッジのセンサからの入力が、ＡＲメガネ２２０が実際に着用されているという信頼できる判定のために着用者の頭および鼻を検出するように構成され得る。これは、センサのうちの１つまたは複数による読み間違いが原因のエラーを防ぐことができる。もちろん、さまざまなセンサが、本明細書に記載のさまざまな機能のために使用され得る。
【００２４】
図３は、少なくともその他の実施形態に従って構成された、メガネの跳ね上げ式機構（a flip-up feature）に近接センサを有するさらなる例示的なＡＲメガネを示す。上述のように、図３００のＡＲメガネ３３０の異なる位置に配置されたセンサは、ユーザインターフェース要素、またはＡＲメガネの自動化されたコントロールのためのコントロール要素として使用するように構成され得る。
【００２５】
電力管理は、ＡＲメガネ３３０などのＡＲヘッドウェアの設計上の考慮事項のうちの１つである。可搬型の電子デバイスであるので、ＡＲメガネ３３０は、必然的に、バッテリ、太陽光発電、または同様のソースからの限られた電力供給を有することになる。したがって、ＡＲメガネ３３０のための利用可能な電力の浪費を防ぐこと（たとえば、使用されていないときにオフにするか、またはスリープモードに移行すること）が、有益である可能性がある。ＡＲメガネのアームまたはブリッジの静電容量センサによって、メガネが着用されているかどうかを検出ことのような一部の例示的なアプローチが、上で検討された。加えて、図３００に示されるように、その他の構成が、メガネがオフにされる（または低電力モードに移行される）べきであるかどうかを判定するために使用され得る。
【００２６】
ＡＲメガネ３３０は、跳ね上げ式機構を取り付けられることができ、可動部分３３４および３３５は、閉じた位置で使用していないことを示すように構成されるカバーである可能性があり、または可動部分３３４および３３５は、閉じた位置で動作する実際のディスプレイである可能性がある。少なくとも一部の実施形態によれば、蝶番３３１および３３２が、ＡＲメガネ３３０をオンまたはオフにする機械式スイッチとして使用するように構成され得る。その他の実施形態によれば、（たとえば、容量性、光学式、または磁気）センサ３３６、３３７、および３３９が、可動部分３３４および３３５の（閉または開）位置を検出するように構成され得る。センサは、個々に、または実質的に重なり合う対で（たとえば、センサ３３６および３３７）使用され得る。可動部分は、図３００に示されるように２つの部分を含み得る。代替的に、単一の可動部分が、実質的にＡＲメガネ３３０を覆うように使用され得る。
【００２７】
図４は、実施形態の少なくとも一部に従って構成された、電力管理を目的として、ＡＲメガネが人によって着用されるときを検出するように構成されたシステムを示す。そのようなＡＲメガネが着用されているとき、そのＡＲメガネは起動される可能性があり、そのようなＡＲメガネが着用されていないとき、そのＡＲメガネは停止される（または省電力状態にされる）可能性がある。
【００２８】
一部の例において、図４００の静電容量測定システム４４０は、発振器４４２、センサ４４８、電圧測定デバイス４４６、およびＡＲメガネの着用者の実効静電容量４４５に対して参照される基準静電容量４４４を含む。静電容量測定システム４４０は、着用者によって着用されるとき、ＡＲメガネ２２０を起動するように構成され、着用者によってはずされるとき、ＡＲメガネ２２０を停止するようにやはり構成され得る。代替的に、静電容量測定システム４４０は、ＡＲメガネ２２０を低電力のスリープモードまたは省電力状態に移行し、それによって、可搬型のＡＲメガネ２２０の貴重な電力を節約するように構成され得る。
【００２９】
発振器４４２は、基準静電容量４４４を通じてセンサ４４８に電力を供給するようになされ得る。センサ４４８は、基準静電容量４４４とＡＲメガネ２２０の着用者の静電容量４４５との間の静電容量の差を測定するように構成され得る。静電容量の差は、センサ４４８によって電圧に変換され得る。静電容量の差を検出するセンサは、静電容量センサと呼ばれる可能性があり、銅、インジウム錫酸化物（ＩＴＯ）、および同様の材料などのさまざまな材料から構築され得る。サイズ、間隔、およびグラウンドプレーンからの距離が、静電容量センサを設計するときに考慮されるパラメータである。
【００３０】
電圧測定デバイス４４６は、基準静電容量４４４とＡＲメガネの着用者の静電容量４４５との間の静電容量の差に応じてセンサ４４８によって生成される電圧を測定するように構成され得る。電圧測定デバイス４４６は、電圧の測定値を評価し、ＡＲメガネ２２０が着用者によって着用されているかどうかの判定を行うために利用され得る。代替的に、電圧測定デバイス４４６は、ＡＲシステムのプロセッサに電圧の測定値を提供するように構成されることができ、次いで、そのプロセッサが、関連する結論に到達し、アクションを行う（たとえば、電力状態を調整する）ことができる。
【００３１】
たとえば、電圧測定デバイス４４６は、第１の電圧を測定し、ＡＲシステムのプロセッサに測定値を転送するように構成されることができ、プロセッサは、第１の電圧が「メガネを着用している」状態に対応することを判定するために（システム４４０内に、またはシステム４４０外に記憶された）ルックアップテーブルにアクセスするように構成されることができる。反対に、電圧測定デバイス４４６が第２の電圧を測定する場合、プロセッサは、第２の電圧が「メガネを着用していない」状態に対応することをルックアップテーブルから判定するように構成され得る。
【００３２】
したがって、電圧測定デバイス４４６による電圧の読み取り値は、センサ４４８による容量の差の読み取り値に基づくことができ、静電容量の差の読み取り値は、基準静電容量４４４と着用者の実効静電容量４４５との間の差に基づく。着用者がＡＲメガネ２２０を着用している場合、一種の容量の差がセンサ４４８によって測定される可能性があり、着用者がＡＲメガネ２２０を着用していないときは、異なる容量の差がセンサによって測定される可能性がある。異なるセンサが静電容量の差をどのように判定することができるかの詳細が、図６に関連して以下で検討される。
【００３３】
その他の実施形態によれば、図４００に示されるシステム４４０は、発振器４４２に電気的に結合され得る複数のセンサ２２４を利用する可能性がある。これらのセンサのそれぞれは、対応する電圧測定デバイスに関連付けられ得る。一例において、センサ２２４は、図４に示されるように、ＡＲメガネ２２０のさまざまな位置に配置され得る。センサのための位置は、メガネの左アームおよび／または右アーム、メガネのブリッジなどを含み得るがそれらに限定されない。たとえば、センサ２２４は、それらのセンサ２２４が着用者の耳の後ろの静電容量を測定するように、ＡＲメガネ２２０のアームに配置され得る。別の例において、センサは、ＡＲメガネ２２０のブリッジに配置される可能性があり、それによって、メガネが着用者の鼻の上にかかっているかどうかを検出する（したがって、着用者がＡＲメガネ２２０を着用していること、およびＡＲメガネ２２０が発振器４４２によって起動されるべきであることを示す）。さらに別の例において、センサは、着用者の前頭部の有無を検出するためにＡＲメガネ２２０のブリッジまたは上側のリムに配置され得る。
【００３４】
実施形態は容量センサに限定されず、誘導センサ、磁気センサ、ソナーセンサ、光学式センサ（フォトセルまたはレーザ）、渦電流センサ、熱赤外センサなどのその他の種類の近接センサが、本明細書に記載の原理を用いてやはり使用され得る。図４を参照して検討された容量センサを含むさまざまな種類のセンサが、同種のものだけで利用される（すなわち、ＡＲメガネ２２０上のすべて同じ種類のセンサ）か、または異種混合で利用される（すなわち、同じＡＲメガネ２２０上の異なる種類のセンサ）可能性がある。
【００３５】
さらなる実施形態によれば、疎水性コーティングが、水／汗がセンサ４４８またはセンサ２２４の測定および機能を妨げることを防止するために使用され得る。このコーティングは、システム４４０のセンサおよび／またはその他の部分の機能の少なくとも一部を覆うことができる。
【００３６】
図５は、本明細書に記載の少なくとも一部の実施形態に従って構成された、電力管理を目的として、ＡＲメガネが使用中であるときを検出するために跳ね上げ式機構を利用する例示的なＡＲメガネの側面図を示す。跳ね上げ式機構は、（１つもしくは複数の）実際のディスプレイを含む可能性があるか、または閉じた位置にあるときにＡＲメガネが使用中でないことを示すカバーである可能性がある（図５００）。
【００３７】
上述のように、蝶番（たとえば、５３１）が、着用者がＡＲメガネ３３０を着用しているかどうかを検出するためのセンサと併せて、またはそれらのセンサの代わりに構成され得る。ＡＲメガネ３３０のアームは、蝶番（たとえば、５３３）を介してＡＲメガネ３３０のフレームに結合されることができ、ＡＲメガネ３３０のアームがたたまれるとき、蝶番の閉じた位置が電源オフ状態を示すことができ、反対に、ＡＲメガネ３３０のアームが広げられるとき、蝶番（たとえば、５３３）の開いた位置が電源オン状態を示すことができる。
【００３８】
別の例によれば、蝶番５３１は、可動部分５３４が上げられるか、または下げられるか（それぞれ図５００および５５０）に基づいて動作状態を検出するように構成され得る。可動部分５３４が実際のディスプレイである場合、下げた位置は、電源オン状態を示すことができ、逆も同様である。一方、可動部分５３４がカバーである場合、その反対が正しい可能性がある（カバーが下げられるとき、電源がオフにされ、カバーが上げられるとき、電源がオンにされる）。さらなる実施形態によれば、センサの対５３６、５３７が、可動部分５３４が上げられるか、または下げられるかを判定するように構成され得る。たとえば、センサの対５３６、５３７が互いに接触しているか、または互いに近くにある場合、下げられた位置が判定されることができる。そうではない場合、可動部分５３４は、上げられた位置にあると判定され得る。センサの対５３６、５３７は、容量センサ、磁気センサ、光学式センサ、または接触しているときに電気回路を閉じる導電性のパッチでさえある可能性がある。
【００３９】
図６は、少なくとも一部の実施形態に従って構成された、電界撮像デバイスによるＡＲメガネの使用の検出を示す。図６００は、１つの例示的な構成と、シールドの実装を伴う２つのセンサの図とを示す。
【００４０】
一部の実施形態に従って構成されたＡＲメガネのセンサは、「アクティブ」シールドを取り付けられ得る（たとえば、センサ６６５）。シールドは、近くのグラウンドまたはその他の漂遊電磁界に対するシステムのあらゆる感度を小さくするように構成され得る。センサ（センサの側面図６７０のパッド６７６またはセンサの上面図６８０のセンサパッド６８２などのパッドを有することができる）は、その後ろに大き目に作られたシールドを有することができる（たとえば、センサの上面図６８０）。頭の向きの測定に関して、頭は、肩よりも大きな静電容量を有する可能性があるが、頭の静電容量は比較的変わらない可能性がある。たとえば、システムは、以下のように、すなわち、Ｃ＿ｔｏｔａｌ＝Ｃ＿ｓｈｏｕｌｄｅｒ＋Ｃ＿ｈｅａｄのように静電容量（「Ｃ」）を測定することができ、ここで、Ｃ＿ｈｅａｄは大きいが比較的変化せず、Ｃ＿ｓｈｏｕｌｄｅｒは頭の静電容量よりも小さいが、頭から肩までの向きが変えられるときに変動しやすい。それぞれがたとえば約５０Ｈｚでサンプルを生成する４つのセンサが使用される場合、（図２の図２００に示されるように）左のメガネフレームに２つ、および右のメガネフレームに２つのセンサが存在する可能性がある。これは、サンプル、Ｍ１、Ｍ２、Ｍ３、およびＭ４（それぞれ、右アームのＭ１およびＭ２、ならびに左アームのＭ３およびＭ４）をもたらすことができる。そのとき、各測定値のフィルタリングされた時間平均が構築されることができ、それらの時間平均は＜Ｍ１＞、＜Ｍ２＞、＜Ｍ３＞、＜Ｍ４＞と呼ばれる可能性がある。左を見る人に関して、（頭に対するセンサの正確な位置に応じた）左の対地静電容量（ｃａｐａｃｉｔａｎｃｅ  ｔｏ  ｇｒｏｕｎｄ）信号は、両方とも減少する可能性があり、右の対地静電容量は、両方とも増加する可能性がある。結果として、フィルタリングされた信号は、
【００４１】
【数１】
0005512884.tif 000002
と表され得る。
【００４２】
頭の左方向の動きを検出するために、＜Ａ＞の短時間平均は負である可能性があり、＜Ｂ＞は正である可能性がある。頭の右方向の動きを検出するために、＜Ａ＞の短時間平均は正である可能性があり、＜Ｂ＞は負である可能性がある。センサの同様の組み合わせが、下を向くこと、上を向くこと、左に傾けること、および右に傾けることを検出するために使用され得る。適切な時間の制約の選択、頭の変化しない静電容量を小さくするためのアクティブシールドのパッドのサイズおよび位置、ならびにシステム内の雑音の削減は、当業者に明らかであろう。
【００４３】
このように、実施形態によるセンサは、センサパッド６７６を伴うセンサの側面図６７０に示されるように電気的に表されることができ、アクティブシールドの片側６７２が電界撮像デバイス６６４などの検出デバイスに結合され、アクティブシールドの反対側６７４がグラウンドに結合される。電界撮像デバイス６６４は、ユーザの動き、またはセンサを通じた入力を判定するためにセンサ信号を処理するためのプロセッサ６６２に結合され得る。
【００４４】
別の例によれば、ＡＲメガネに実装されるセンサは、ＡＲメガネが閉じられるときに、システムが、ＡＲメガネが起動されるべきか、または停止されるべきかについて混乱しないように、センサパッド６８２の裏側に遮蔽材（ｓｈｉｅｌｄｉｎｇ）（たとえば、センサの上面図６８０の遮蔽材６８４）を有する可能性がある。言い換えると、ＡＲメガネが閉じられる（すなわち、メガネのアームがたたまれる）とき、ＡＲメガネの右アームの１つまたは複数のセンサが、ＡＲメガネの左アームの１つまたは複数のセンサと重なる可能性がある。これは結果を生成する可能性があり、左アームのセンサが右アームのセンサの静電容量を感知し、それによって、誤った肯定的な結果（実際にはＡＲメガネが装着されておらず、実際には、メガネのアームを折りたたむことによってオフになるように意図されるときに、ＡＲメガネが着用者に着用されていることを示す）をもたらしかねない。センサの裏側の電気的な遮蔽材などの上述の遮蔽材は、この現象を少なくするか、または取り除くことができる。
【００４５】
上述の跳ね上げ式機構を有するＡＲメガネにおいて、センサは、着用者の前頭部に配置される可能性もあり、その場合、ＡＲメガネの鼻パッドのセンサが、静電容量の変化を判定することができる。フレームに取り付けられた容量センサに関しては、フレームに取り付けられたセンサと頭との間の空隙の長さに基づいて、グラウンドに対する体の測定される静電容量が減少する可能性がある。耳の後ろのセンサは、実装するのが比較的簡単である可能性があり、ＡＲメガネのブリッジまたはアームの前部などのその他の位置と比較して、より感度の低い静電容量の測定を必要とする。
【００４６】
頭の存在は、いくつかのやり方によって静電容量の変化を通じてＡＲメガネで検出され得る。たとえば、頭の近くに小さな平行なプレートを有する感知回路が、グラウンドに容量的に結合される可能性があり、回路の特性（たとえば、頭部センサを用いた容量型分圧器（ｃａｐａｃｉｔｉｖｅ  ｖｏｌｔａｇｅ  ｄｉｖｉｄｅｒ）のＲＭＳ電圧）が測定され得る。別の例示的な実装形態においては、センサプレート間の電荷の転送が、測定され得る。さらに別の例示的な実装形態においては、間に未知の誘電体（たとえば、主に水で満たされた人間の体／頭）を有する２枚のプレートの静電容量の変化が、使用され得る。もちろん、これらの方法は、互いに組み合わせて、または当技術分野で知られているさらなる方法と組み合わせて使用されることもできる。
【００４７】
実施形態が特定の例、コンポーネント、検出方法、および構成を用いて上で検討されたが、それらは、近接センサを用いるウェアラブルＡＲディスプレイのために使用されるべき全般的な指針を提供するように意図される。これらの例は、実施形態に対する限定を定めるものではなく、実施形態は、本明細書に記載された原理を用いるその他のコンポーネント、モジュール、検出方法、および構成を用いて実装され得る。たとえば、異なる種類のセンサが、メガネが着用されているときを判定するため、ユーザ入力を検出するため、およびメガネがはずされるときを判定するために使用され得る。
【００４８】
図７は、本開示の少なくとも一部の実施形態に従って構成されたＡＲメガネにおいて近接感知メカニズムを実装するために使用され得る汎用コンピューティングデバイスを示す。
【００４９】
コンピュータ７００は、プロセッサ７１０、メモリ７２０、および１つまたは複数のドライブ７３０を含む。ドライブ７３０と、取り外し式ストレージ媒体７３４（たとえば、ＣＤ−ＲＯＭ、ＤＶＤ−ＲＯＭ）および非取り外し式ストレージ媒体７３２（たとえば、ハードドライブディスク）などのそれらのドライブ７３０に関連するコンピュータストレージ媒体とが、コンピュータ可読命令、データ構造、プログラムモジュール、およびコンピュータ７００に関するその他のデータのストレージを提供することができる。ドライブ７３０は、オペレーティングシステム７４０、アプリケーションプログラム７５０、プログラムモジュール７６０、およびデータベース７８０を含み得る。コンピュータ７００は、ユーザがコマンドおよびデータを入力することができるユーザ入力デバイス７９０をさらに含み得る。入力デバイス７９０は、電子デジタイザ、マイクロホン７９６、キーボード７９４、およびマウスデバイス７９２、トラックボールデバイス、またはタッチパッドデバイスなどのポインティングデバイスを含み得る。その他の入力デバイスは、ジョイスティックデバイス、ゲームパッドデバイス、衛星通信用パラボラアンテナ、スキャナデバイスなどを含み得る。
【００５０】
一部の実施形態によるコンピュータ７００用のユーザ入力デバイスのうちの１つが、ＡＲメガネのセンサ７９８である可能性がある。コンピュータ７００がアプリケーションプログラム７５０の下でＡＲアプリケーション７５２を実行しているとき、ＡＲメガネのセンサ７９８は、ユーザにユーザインターフェース要素を提供し、提供されたユーザインターフェース要素に関連するユーザのアクションに関してコンピュータ７００にフィードバックを与えることができる。たとえば、ＡＲメガネのセンサは、ボリュームコントロール、ディスプレイコントロール、ユーザが見ている方向、ユーザの決定の承認／拒否、および同様のアクションに関するユーザの指示を検出することができる。
【００５１】
これらのおよびその他の入力デバイスは、システムバス７０５に結合されたユーザ入力インターフェースを介してプロセッサ７１０に結合され得るが、パラレルポート、ゲームポート、またはユニバーサルシリアルバス（ＵＳＢ）などのその他のインターフェースおよびバス構造によって結合されてもよい。コンピュータ７００などのコンピュータは、スピーカ７７６、プリンタ７７４、ディスプレイ７７２、およびＡＲメガネディスプレイ７７８などのその他の周辺出力デバイスも含む可能性があり、これらは、出力周辺インターフェース７７０などを介して結合され得る。
【００５２】
メモリ７２０、取り外し式ストレージデバイス７３４および非取り外し式ストレージデバイス７３２は、コンピュータストレージ媒体の例である。コンピュータストレージ媒体は、ＲＡＭ、ＲＯＭ、ＥＥＰＲＯＭ、フラッシュメモリ、もしくはその他のメモリ技術、ＣＤ−ＲＯＭ、デジタルバーサタイルディスク（ＤＶＤ）、もしくはその他の光学式ストレージ、磁気カセット、磁気テープ、磁気ディスクストレージ、もしくはその他の磁気式ストレージデバイス、または所望の情報を記憶するために使用されることができ、コンピュータ７００によってアクセスされ得る任意のその他の媒体を含むがそれらに限定されない。任意のそのようなコンピュータストレージ媒体は、コンピュータ７００の一部であることができる。
【００５３】
コンピュータ７００は、ネットワークインターフェース７０６に接続されたリモートコンピュータなどの１つまたは複数のコンピュータへの論理接続を使用したネットワーク化された環境で動作することができる。リモートコンピュータは、パーソナルコンピュータ、サーバ、ルータ、ネットワークＰＣ、ピアデバイス、またはその他の通常のネットワークノードである可能性があり、コンピュータ７００に関して上述した要素のうちの多くまたは全てを含み得る。ネットワーキング環境が、オフィス、企業の広域ネットワーク（ＷＡＮ）、ローカルエリアネットワーク（ＬＡＮ）、イントラネット、およびインターネットなどの世界規模のネットワークにおいて当たり前になっている。たとえば、本願の主題において、コンピュータ７００は、データがマイグレーションされている移行元のマシンを含む可能性があり、リモートコンピュータは、移行先のマシンを含む可能性があり、逆も同様である。しかし、移行元および移行先のマシンは、（１つまたは複数の）ネットワーク７０８または任意のその他の手段によって一緒に結合される必要はないが、代わりに、データが、移行元のプラットフォームによって書き込まれることができ、（１つまたは複数の）移行先のプラットフォームによって読み取られることができる任意の媒体を介してマイグレーションされることができることに留意されたい。ＬＡＮまたはＷＬＡＮネットワーキング環境において使用されるとき、コンピュータ７００は、ネットワークインターフェース７０６またはアダプタを介してＬＡＮに結合され得る。
【００５４】
（１つまたは複数の）ネットワークは、サーバ、クライアント、スイッチ、ルータ、モデム、インターネットサービスプロバイダ（ＩＳＰ）、および任意の適切な通信媒体（たとえば、有線または無線通信）を使用する任意のトポロジーを含み得る。一部の実施形態によるシステムは、静的または動的なネットワークトポロジーを有する可能性がある。（１つまたは複数の）ネットワークは、エンタープライズネットワーク（たとえば、ＬＡＮ、ＷＡＮ、もしくはＷＬＡＮ）などの安全なネットワーク、無線開放型ネットワーク（たとえば、ＩＥＥＥ８０２．１１無線ネットワーク）などの安全でないネットワーク、または世界規模のネットワーク（たとえば、インターネット）を含み得る。（１つまたは複数の）ネットワークは、一緒に動作するように適合される複数の異なるネットワークを含むこともできる。（１つまたは複数の）ネットワークは、本明細書に記載されたノード間の通信を提供するようになされる。限定ではなく例として、（１つまたは複数の）ネットワークは、音響、ＲＦ、赤外線、およびその他の無線媒体などの無線媒体を含み得る。
【００５５】
ネットワーク通信リンクは、通信媒体の一例である可能性がある。概して、通信媒体は、搬送波またはその他の搬送メカニズムなどの変調されたデータ信号内のコンピュータ可読命令、データ構造、プログラムモジュール、またはその他のデータによって具現化されることができ、任意の情報配信媒体を含み得る。「変調されたデータ信号」は、その信号の特徴のうちの１つまたは複数を、信号中に情報を符号化するような方法で設定または変更させる信号である可能性がある。限定ではなく例として、通信媒体は、有線ネットワークまたは直接有線接続などの有線媒体、ならびに音響、無線周波数（ＲＦ）、マイクロ波、赤外線（ＩＲ）、およびその他の無線媒体などの無線媒体を含み得る。本明細書において使用される用語、コンピュータ可読媒体は、ストレージ媒体と通信媒体の両方を含み得る。
【００５６】
コンピュータ７００は、セル電話、携帯情報端末（ＰＤＡ）、パーソナルメディアプレーヤデバイス、無線ウェブ閲覧デバイス、パーソナルハンドセットデバイス、特定用途向けデバイス、または上述の機能のうちの任意のものを含む複合デバイスなどの小型フォームファクタ携帯型（またはモバイル）電子デバイスの一部として実装され得る。また、コンピュータ７００は、ラップトップコンピュータ構成と非ラップトップコンピュータ構成の両方を含むパーソナルコンピュータとして実装され得る。さらに、コンピュータ７００は、ネットワーク化されたシステムとして、または汎用もしくは専用のサーバの一部として実装され得る。
【００５７】
図８は、本開示の少なくとも一部の実施形態に従って構成されたＡＲメガネにおいて近接感知メカニズムを実装するために使用され得る専用プロセッサを示す。図８００のプロセッサ８１０は、ＡＲメガネ（たとえば、ＡＲメガネ３３０）に通信可能に結合されるコンピューティングデバイスの一部である可能性があるか、またはＡＲメガネに組み込まれる可能性がある。
【００５８】
プロセッサ８１０は、いくつかの検出モジュール８４０を含み得る。各検出モジュールは、センサ（たとえば、センサ８４０−１から８４０−Ｎ）に関連付けられることができる。検出モジュール８４０は、着用者の頭、鼻、メガネがたたまれることまたは広げられることなどのセンサの検出を示す電圧の測定値などのセンサ出力を検出するように構成され得る。検出モジュール８４０は、判定モジュール８３０に（１つまたは複数の）センサの検出を示す出力を与えるように構成され得る。判定モジュール８３０は、監視されるパラメータおよび関連するセンサの情報に基づいて判定を行うように構成され得る。たとえば、監視されるパラメータは、着用者の頭もしくは鼻の検出に基づいてＡＲメガネが着用されているかどうか、メガネのアームがたたまれていることもしくは開いていること、または跳ね上げ式の特徴の位置である可能性がある。
【００５９】
データベース８８０は、判定モジュール８３０が判定を行うのを支援するための監視されるパラメータに関連するデータを記憶するように構成され得る。たとえば、データベース８８０は、センサ８４０−１から８４０−Ｎからの期待される電圧測定値と、対応するパラメータ値（たとえば、メガネが使用中か否か）とを列挙するルックアップテーブル８８０−１から８８０−Ｎを含み得る。検出モジュールの出力をルックアップテーブルと比較すると、判定モジュール８３０は、メガネが起動されるべきであると判定し、プロセッサ８１０がメガネの電源モジュールを作動させることを可能にするように構成され得る。
【００６０】
その他の実施形態によれば、ＡＲメガネの動作コントロールなどのその他のパラメータが監視され、センサ８４０−１から８４０−Ｎからの入力に基づいて制御され得る。各センサは、１つの検出モジュールに関連付けられ得る。代替的に、複数のセンサが、単一の検出モジュールによって監視され得る。さらに、複数の判定モジュールが、異なる機能のために使用され得る。メモリ８２０は、ハードウェア、ソフトウェア、またはハードウェアとソフトウェアの組み合わせとして実装される可能性がある判定モジュール８３０および／または検出モジュール８４０に関する命令を記憶するように構成され得る。プロセッサ８１０は、その他のコンピューティングデバイスおよび／またはストレージ設備８５０などのデータストアと直接的な電気的結合を通じて、またはネットワーク化された通信（たとえば、（１つもしくは複数の）ネットワーク８０８）を通じて通信することができる。
【００６１】
例示的な実施形態は、方法も含み得る。これらの方法は、本明細書に記載された構造を含むあらゆるやり方で実装され得る。１つのそのようなやり方は、本開示に記載された種類のデバイスの機械オペレーションによる。別の選択され得るやり方は、方法の個々のオペレーションのうちの１つまたは複数が、オペレーションの一部が機械によって実行される一方で、１人または複数の人間のオペレータがその他のオペレーションを実行することに関連して実行されることである。これらの人間のオペレータは互いにひとまとめに配置される必要はなく、それぞれの人間のオペレータは、プログラムの一部を実行する機械とのみ一緒である可能性がある。その他の例において、人間のインタラクションは、機械で自動化されるあらかじめ選択された基準によるなどして自動化され得る。
【００６２】
図９は、本明細書に記載の少なくとも一部の実施形態に従って構成された図７のコンピュータ７００または図８の専用プロセッサ８１０などのコンピューティングデバイスによって実行され得る例示的な方法を示す流れ図である。ブロック９２２、９２４、および９２６で説明されるオペレーションは、コンピュータ７００のドライブ７４０またはプロセッサ８１０のメモリ８２０などのコンピュータ可読媒体にコンピュータが実行可能な命令として記憶され得る。
【００６３】
拡張現実システムで近接センサを使用するプロセスは、オペレーション９２２、「センサ信号を受信する」で始まることができる。オペレーション９２２において、センサ出力が、図２のＡＲメガネ２２０のセンサ２２２、２２４、および２２６などのＡＲメガネの複数のセンサのうちの１つから受信される。センサは、本明細書において説明されるように、メガネの状態（たとえば、動作状態）またはユーザ入力を検出するためにＡＲメガネのさまざまな有効な位置に一体化され得る。
【００６４】
オペレーション９２２の後にオペレーション９２４、「状態／ユーザ入力を判定する」が続くことができる。オペレーション９２４において、受信された信号が、メガネの状態またはユーザ入力を判定するために処理され得る。たとえば、監視される状態は、メガネのアームの位置である可能性がある。アームが開いている場合、ユーザがＡＲメガネを使用することを意図するという推測がなされることができ、メガネが自動的に起動されることができる。同様に、メガネのアームの間のユーザの頭（またはメガネのブリッジの下のユーザの鼻）の検出は、メガネを使用する意図を示す可能性がある。処理は、受信された信号の値をルックアップテーブル内の期待される値と比較することと、状態を判定することとを含み得る。頭の動き、またはセンサのうちの少なくとも１つにタッチすることなどのユーザ入力も、同様にして処理され得る信号を生成することができる。受信された信号は、検出モジュール８４０などの検出モジュールによって処理され、図８のプロセッサ８１０のようなプロセッサによって処理されることができる。
【００６５】
オペレーション９２４の後にオペレーション９２６、「対応するアクションを実行する」が続くことができる。オペレーション９２６において、プロセッサ８１０は、動作モジュールに、受信されたセンサ入力に対応するアクションを実行するように命令することができる。たとえば、電源モジュールが、頭、またはメガネの開いた位置の検出に応じてＡＲメガネを起動するように命令され得る。同様に、センサを通じたユーザ入力が、オーディオボリュームコントロール、ディスプレイのプロパティ（たとえば、輝度）を調整するなど、動作モジュールを作動させるか、または制御するために使用され得る。
【００６６】
上述のプロセスに含まれるオペレーションは、例示を目的とするものである。近接センサを備えたＡＲメガネは、より少ないオペレーションまたは追加的なオペレーションを有する同様のプロセスによって実装され得る。一部の例において、オペレーションは、異なる順序で実行され得る。一部のその他の例において、さまざまなオペレーションが省略され得る。さらにその他の例において、さまざまなオペレーションが、さらなるオペレーションに分割されるか、またはより少ないオペレーションに一緒に組み合わされる可能性がある。
【００６７】
図１０は、本明細書に記載の少なくとも一部の実施形態に従って構成された例示的なコンピュータプログラム製品１０００のブロック図を示す。一部の例において、図１０に示されるように、コンピュータプログラム製品１０００は、たとえばプロセッサによって実行されるときに図７および図８に関して上で説明された機能を提供することができる機械可読命令１００４をやはり含み得る信号を運ぶ媒体１００２を含み得る。したがって、たとえば、プロセッサ８１０に関して、検出モジュール８４０および判定モジュール８３０が、媒体１００２によってプロセッサ８１０に運ばれた命令１００４に応答して図１０に示されたタスクのうちの１つまたは複数を引き受けて、本明細書において説明されるように近接センサを使用することに関連するアクションを実行することができる。それらの命令の一部は、センサ信号を受信すること、状態／ユーザ入力を判定すること、および／または対応するアクションを実行することを含み得る。
【００６８】
一部の実装形態において、図１０に示された信号を運ぶ媒体１００２は、これらに限定されないが、ハードディスクドライブ、コンパクトディスク（ＣＤ）、デジタルビデオディスク（ＤＶＤ）、デジタルテープ、メモリなどのコンピュータ可読媒体１００６を包含し得る。一部の実装形態において、信号を運ぶ媒体１００２は、これらに限定されないが、メモリ、読み出し／書き込み（Ｒ／Ｗ）ＣＤ、Ｒ／Ｗ  ＤＶＤなどの記録可能な媒体１００８を包含し得る。一部の実装形態において、信号を運ぶ媒体１００２は、これらに限定されないが、デジタルおよび／またはアナログ通信媒体（たとえば、光ファイバケーブル、導波管、有線通信リンク、無線通信リンクなど）などの通信媒体１０１０を包含し得る。したがって、たとえば、プログラム製品１０００は、ＲＦ信号を運ぶ媒体１００２によってプロセッサ５０４の１つまたは複数のモジュールに伝達される可能性があり、信号を運ぶ媒体１００２は、無線通信媒体１０１０（たとえば、ＩＥＥＥ８０２．１１規格に準拠する無線通信媒体）によって伝達される。
【００６９】
一部の例において、本開示は、近接センサに基づいてウェアラブル拡張現実（ＡＲ）２２０ディスプレイに適応的に給電するように構成されたシステムを説明し、システムは、ウェアラブルＡＲディスプレイに装着されたセンサ４４８を含む。センサは、検出信号を生成するように構成され、検出信号は、着用者の頭の存在、着用者の頭の位置、および／またはウェアラブルＡＲディスプレイの状態のうちの１つまたは複数を示す。システムは、センサに結合されたプロセッサ８１０も含み、プロセッサは、センサからの検出信号に基づいてウェアラブルＡＲディスプレイが起動されるべきであるかどうかを判定し、ウェアラブルＡＲディスプレイが起動されるべきであるときはウェアラブルＡＲディスプレイを起動するように構成される。
【００７０】
ウェアラブルＡＲディスプレイ２２０の状態は、ウェアラブルＡＲディスプレイのアームが開いた位置にあること、または閉じた位置にあることを含む。センサ４４８は、誘導センサ、磁気センサ、ソナーセンサ、光学式センサ、渦電流センサ、機械式スイッチ、または熱赤外センサである可能性がある。センサ４４８は、静電容量の差を感知することに基づいて、着用者の頭の存在、着用者の胴体に対する着用者の頭の位置、および／またはウェアラブルＡＲディスプレイの状態のうちの１つまたは複数を検出するように構成された静電容量センサである可能性もある。
【００７１】
システムは、ウェアラブルＡＲディスプレイ２２０の左アーム、右アーム、ブリッジ、および／またはリムのうちの１つまたは複数に装着された複数のセンサ２２２、２２４、２２６をさらに含み得る。複数のセンサ２２２、２２４、２２６は、ウェアラブルＡＲディスプレイ２２０の少なくとも１つの動作パラメータを制御するためのユーザ入力を受信するように構成される。ウェアラブルＡＲディスプレイ２２０の動作パラメータは、オーディオコントロールまたはディスプレイコントロールを含み得る。システムは、少なくとも１つの蝶番によってウェアラブルＡＲディスプレイ２２０のリムに装着された可動部分３３４、３３５も含む可能性があり、跳ね上げ式の可動部分が、少なくとも１つの追加的なセンサ３３７、３３９を含む。可動部分３３４、３３５は、ディスプレイであるか、またはウェアラブルＡＲディスプレイの透けているコンポーネントを遮るカバーである可能性がある。ウェアラブルＡＲディスプレイ２２０の状態は、可動部分３３４、３３５が上げられた位置にあること、または下げられた位置にあることを含み得る。さらに、可動部分３３４、３３５の位置は、少なくとも１つの蝶番３３１、または少なくとも１つの追加的なセンサ３３７、３３９による検出に基づいて判定され得る。
【００７２】
さらなる例において、本開示は、近接センサ２２２、２２４、２２６に基づいてウェアラブル拡張現実（ＡＲ）ディスプレイ２２０に適応的に給電するように構成されたシステムを記載する。システムは、基準ノード４４４に結合された静電容量センサ４４８を含み、センサ４４８は、基準ノード４４４と外部ノード４４５との間の静電容量の値の差を測定するように構成される。システムは、センサ４４８に結合された電圧測定デバイス４４６も含む。電圧測定デバイス４４６は、値の差を入力として受信するように構成され、ウェアラブルＡＲディスプレイ２２０に電力をいつ供給すべきかを判定するように構成されるデータ出力を提供するようにさらに構成される。基準ノード４４４は、基準静電容量である可能性があり、外部ノード４４５は、人２１８である可能性がある。
【００７３】
システムは、電圧測定デバイスに結合されたプロセッサ８１０をさらに含み得る。プロセッサは、電圧測定デバイス４４６からのデータ出力を受信し、データ出力をルックアップテーブル８８０−１から８８０−Ｎ内の複数の記憶された値と比較し、ウェアラブルＡＲディスプレイ２２０に電力をいつ供給すべきかを判定するように構成される。これは、時間平均、時間フィルタ（ｔｅｍｐｏｒａｌ  ｆｉｌｔｅｒ）、および同様のパラメータを使用する信号依存アルゴリズム（ｓｉｇｎａｌ  ｄｅｐｅｎｄｅｎｔ  ａｌｇｏｒｉｔｈｍ）によって行われ得る。プロセッサ８１０は、データ出力の複数の記憶された値との比較に応じて、ウェアラブルＡＲディスプレイ２２０を低電力モードに移行させるようにさらに構成される。センサ４４８は、近くのグラウンドおよび漂遊電磁界に対する感度を小さくするためのアクティブシールド６８４を含み得る。センサ４４８は、水および／または汗がセンサの測定を妨げることを防止するために疎水性材料でさらにコーティングされ得る。
【００７４】
さらなる例において、本開示は、近接センサ２２２、２２４、２２６によってウェアラブル拡張現実（ＡＲ）ディスプレイ２２０の動作状況を制御するための方法を記載する。方法は、ウェアラブルＡＲディスプレイの左アーム、右アーム、ブリッジ、および／またはリムのうちの１つまたは複数に装着された複数のセンサのうちの少なくとも１つから感知信号を受信すること（９２２）と、受信された感知信号に基づいて、着用者の頭の存在、着用者の頭の位置、ユーザ入力、および／またはウェアラブルＡＲディスプレイの状態のうちの１つまたは複数を判定すること（９２４）と、判定に応じてウェアラブルＡＲディスプレイの動作状況に関連するアクションを実行すること（９２６）とを含む。
【００７５】
ウェアラブルＡＲディスプレイ２２０の動作状況に関連するアクションは、ＡＲディスプレイを起動すること、ＡＲディスプレイを停止すること、ＡＲディスプレイを低電力モードに移行させること、オーディオコントロールを調整すること、および／またはディスプレイコントロールを調整することのうちの１つまたは複数を含む。方法は、複数のセンサ２２２、２２４、２２６から複数の感知信号を受信することも含む可能性があり、複数のセンサは、静電容量センサ、誘導センサ、磁気センサ、ソナーセンサ、光学式センサ、渦電流センサ、または熱赤外センサのうちの１つまたは複数を含む。方法は、着用者（２１８）の胴体に対する着用者の頭の連続的な位置を検出することに応じて、検出された左右の動きに基づく否定的なユーザの応答、および検出された上下の動きに基づく肯定的なユーザの応答のうちの１つまたは複数を推測することをさらに含み得る。
【００７６】
その他の例において、本開示は、近接センサ２２２、２２４、２２６によってウェアラブル拡張現実（ＡＲ）ディスプレイ２２０の動作状況を制御するための命令１００４を記憶するコンピュータ可読ストレージ媒体１００２をさらに記載する。命令は、ウェアラブルＡＲディスプレイ２２０に装着された複数のセンサ２２２、２２４、２２６において、受信された感知信号に基づいて、着用者の頭の存在、着用者の頭の位置、ユーザ入力、および／またはウェアラブルＡＲディスプレイの状態のうちの１つまたは複数を感知することを含む。
【００７７】
命令は、感知された着用者の頭の存在および／またはウェアラブルＡＲディスプレイの状態のうちの１つまたは複数に基づいて、ウェアラブルＡＲディスプレイを起動すべきか、または停止すべきかを判定することと、感知された着用者の頭の位置に基づいてユーザの応答を推測することと、推測されたユーザの応答または感知されたユーザ入力のうちの１つに応じてウェアラブルＡＲディスプレイの動作状況に関連するアクションを決定することをさらに含む。これらのアクションは、プロセッサ８１０において実行され得る。ウェアラブルＡＲディスプレイ２２０の状態は、ウェアラブルＡＲディスプレイのアームが開いた位置もしくは閉じた位置のうちの１つにあること、および／またはウェアラブルＡＲディスプレイの可動部分３３４、３３５が上げられた位置もしくは下げられた位置のうちの１つにあることのうちの１つまたは複数を含む。
【００７８】
システムの側面でのハードウェアの実装形態とソフトウェアの実装形態との間には、ほとんど相違が残されていない。ハードウェアまたはソフトウェアの使用は、一般に（いつもそうではないが、ある状況ではハードウェアとソフトウェアの間の選択が重要になり得るという点で）コスト対効果のトレードオフを表す設計上の選択である。本明細書に記載された、プロセスおよび／またはシステムおよび／または他の技術をもたらすことができるさまざまな達成手段があり（たとえば、ハードウェア、ソフトウェア、および／またはファームウェア）、好ましい達成手段は、プロセスおよび／またはシステムおよび／または他の技術が導入される状況によって異なる。たとえば、実装者が速度と正確性が最も重要であると決定すると、実装者は主にハードウェアおよび／またはファームウェアの達成手段を選択することができる。フレキシビリティが最も重要なら、実装者は主にソフトウェアの実装形態を選択することができる。または、さらに別の代替案として、実装者は、ハードウェア、ソフトウェア、および／またはファームウェアのなんらかの組み合わせを選択することができる。
【００７９】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組み合わせにより、個別におよび／または集合的に実装可能であることが、当業者には理解されるであろう。ある実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（たとえば、１つまたは複数のコンピュータシステム上で動作する１つまたは複数のプログラムとして）、１つまたは複数のプロセッサ上で動作する１つまたは複数のプログラムとして（たとえば、１つまたは複数のマイクロプロセッサ上で動作する１つまたは複数のプログラムとして）、ファームウェアとして、あるいは実質上それらの任意の組み合わせとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。
【００８０】
本開示は、さまざまな態様の例示として意図されている、本願に記載の特定の実施形態によって限定されてはならない。当業者に明らかであろうように、多くの修正および変更が、本開示の精神および範囲を逸脱することなしに行われ得る。本明細書に列挙された方法および装置に加えて、本開示の範囲内の機能的に均等な方法および装置が、上述の説明から当業者に明らかであろう。そのような修正および変更は、添付の特許請求の範囲の範囲内に入るように意図される。本開示は、添付の特許請求の範囲に与えられた均等物の全範囲と併せた、そのような特許請求の範囲の請求項によってのみ限定されるべきである。本開示は特定の方法、材料、および構成に限定されず、それらはもちろん変わり得ることを理解されたい。本明細書において使用された用語は、特定の実施形態を説明することのみを目的としており、限定するように意図されていないことも理解されたい。
【００８１】
さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フロッピー（登録商標）ディスク、ハードディスクドライブ、コンパクトディスク（ＣＤ）、デジタルビデオディスク（ＤＶＤ）、デジタルテープ、コンピュータメモリ、などの記録可能なタイプの媒体、ならびに、デジタル通信媒体および／またはアナログ通信媒体（たとえば、光ファイバケーブル、導波管、有線通信リンク、無線通信リンクなど）の通信タイプの媒体が含まれるが、それらには限定されない。
【００８２】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインターフェース、およびアプリケーションプログラムのうちの１つもしくは複数、タッチパッドもしくはスクリーンなどの１つもしくは複数の相互作用装置、ならびに／またはフィードバックループおよびコントロールモジュールを含むコントロールシステム（たとえば、ＡＲメガネに電力を供給するまたはＡＲメガネのさまざまな動作パラメータを調整する）を含むことを、当業者は理解するであろう。
【００８３】
通常のデータ処理システムは、データコンピューティング／通信システムおよび／またはネットワークコンピューティング／通信システムの中に通常見られるコンポーネントなどの、市販の適切なコンポーネントを利用して実装することができる。本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例示にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的に接続可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００８４】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００８５】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。
【００８６】
さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００８７】
さらに、本開示の特徴または態様がマーカッシュ群（Ｍａｒｋｕｓｈ  ｇｒｏｕｐ）によって説明される場合、当業者は、本開示が、それによって、マーカッシュ群の任意の個々の構成要素または構成要素の部分的な群によっても説明されることを認めるであろう。
【００８８】
当業者に理解されるであろうように、書面で説明するという観点など、任意のおよびすべての趣旨で、本明細書で開示されたすべての範囲は、それらの範囲の任意のおよびすべてのあり得る部分的な範囲および部分的な範囲の組み合わせも包含する。どの記載された範囲も、同じ範囲が少なくとも２等分、３等分、４等分、５等分、１０等分などに分割されることを十分に説明し、そのように分割されることを可能にすると容易に認識され得る。非限定的な例として、本明細書において検討された各範囲は、下３分の１、真ん中３分の１、および上３分の１などに容易に分割され得る。当業者にやはり理解されるであろうように、「最大で〜まで」、「少なくとも〜」、「〜よりも大きい」、「〜よりも小さい」などのすべての言い回しは、記載された数を含み、上で検討されたように部分的な範囲に続けて分割され得る範囲を指す。最後に、当業者に理解されるであろうように、範囲は、それぞれの個々の構成要素を含む。したがって、たとえば、１〜３個のセル（ｃｅｌｌ）を有する群は、１個、２個、または３個のセルを有する群を指す。同様に、１〜５個のセルを有する群は、１個、２個、３個、４個、または５個のセルを有する群を指し、以下同様である。
【００８９】
さまざまな態様および実施形態が本明細書において開示されたが、その他の態様および実施形態が、当業者には明らかになるであろう。本明細書において開示されたさまざまな態様および実施形態は、例示を目的としており、限定するように意図されておらず、その真の範囲および精神は、以下の特許請求の範囲によって示される。
【図１】
0005512884.tif 000003
【図２】
0005512884.tif 000004
【図３】
0005512884.tif 000005
【図４】
0005512884.tif 000006
【図５】
0005512884.tif 000007
【図６】
0005512884.tif 000008
【図７】
0005512884.tif 000009
【図８】
0005512884.tif 000010
【図９】
0005512884.tif 000011
【図１０】
0005512884.tif 000012